(57)【特許請求の範囲】
【請求項１】
温風発生装置を有する乾燥機本体と、
前記乾燥機本体に配設される蓋体と、
前記乾燥機本体と蓋体とによって形成される食器乾燥室と、
前記乾燥機本体に形成されまな板などの小物を収納する小物収納室と、
前記温風発生装置からの温風を食器乾燥室に供給する第１の温風供給口と、
前記温風発生装置からの温風を小物収納室に供給する第２の温風供給口とを備え、
前記小物収納室内には、前記小物収納室内に収納されて前記第２の温風供給口からの温風により乾燥されるまな板などの小物の収納位置より風下に対応する位置であって前記小物収納室の上部に排気口を形成し、該排気口の近傍に脱臭フィルターを設け、
また、前記小物収納室内には、前記まな板を排気口に向かって傾斜状態に保持するまな板載置部を形成し、
前記小物収納室は、前記まな板が前記まな板載置部上に載置された状態において、前記まな板の上面側に形成される空間が前記排気口側に向かって広くなるように形成され、
前記小物収納室に供給される温風は前記食器乾燥室に流入することなく前記脱臭フィルターを介して排気されることを特徴とする食器乾燥機。
【発明の詳細な説明】
【０００１】
【産業上の利用分野】
この発明は、食器やまな板などに付着した水滴を乾燥させる食器乾燥機に関するものである。
【０００２】
【従来の技術】
図９及び図１０は、従来の食器乾燥機を示す正面図及び断面図である。図において、１は本体であり、本体１の後方にヒータ２及び送風機３からなる温風発生装置４を内蔵する温風発生手段収納室５が形成されている。６は前記本体１上面を開閉自在に覆う複数の蓋片７からなる蓋体で、本体１と蓋体６とで食器乾燥室８を形成している。９は食器乾燥室８内に載置される食器カゴ、１０は前記本体１下部に収納された小物収納トレイで、本体１と小物収納トレイ１０に囲まれた部分に小物収納室１１を形成し、本体１に出し入れ自在に収納されている。１２は本体１の温風発生手段収納室５に連通して食器乾燥室８に臨む位置に形成され、前記温風発生手段４からの温風を食器乾燥室８に供給する第１の温風供給口、１３は本体１の温風発生手段収納室５に連通して、小物収納室１１に臨む位置に形成され、前記温風発生手段４からの温風を小物収納室１１に供給する第２の温風供給口、１４は食器カゴ９内に収納される食器類、１５は小物収納トレイ１０と本体１との隙間に形成された小物収納室１１の排気口、１６はまな板で、小物収納トレイ１０の凸部１０ａに載置され、小物収納トレイ１０および小物収納室１１はまな板１６が収納可能な大きさに形成されている。
【０００３】
このような従来の食器乾燥機においては、本体１に濡れた食器類１４を収納した食器カゴ９を載置し、さらに濡れたまな板１６などを収納した小物収納トレイ１０を収納する。そして、温風発生手段４を駆動すると、温風が第１の温風供給口１２及び第２の温風供給口１３を介して食器乾燥室８及び小物収納室１１内に供給され、食器類１４やまな板１６などを乾燥させる。
【０００４】
【発明が解決しようとする課題】
上記のような従来の食器乾燥機では、表面に汚れのないきれいに洗浄された食器１４やまな板１６などを乾燥することに適している。しかしながら、小物収納トレイ１０に収納されるまな板１６などは、包丁など先端が鋭利な刃物で食品を切り刻んだりする目的で使用されるため、食品の汚れ、特に魚や肉や野菜などの汁がしみ込んで落ちなくなってしまい、このような状態のまな板１６などを乾燥した場合には、乾燥と同時にしみ込んでしまった食品の汁からの食品臭が発生して小物収納室１１内に残ってしまうという問題点があった。また、排気口１５から食品臭が排気されて周囲に食品臭をまき散らしてしまうという問題点もあった。
【０００５】
この発明は、上述のような課題を解決するためになされたもので、食器乾燥機内の温風の臭いをスムーズに取り除いて乾燥を行なう食器乾燥機を得るものである。
【０００６】
【課題を解決するための手段】
この発明にかかる食器乾燥機においては、温風発生装置を有する乾燥機本体と、前記乾燥機本体に配設される蓋体と、前記乾燥機本体と蓋体とによって形成される食器乾燥室と、前記乾燥機本体に形成されまな板などの小物を収納する小物収納室と、前記温風発生装置からの温風を食器乾燥室に供給する第１の温風供給口と、前記温風発生装置からの温風を小物収納室に供給する第２の温風供給口とを備え、前記小物収納室内には、前記小物収納室内に収納されて前記第２の温風供給口からの温風により乾燥されるまな板などの小物の収納位置より風下に対応する位置であって前記小物収納室の上部に排気口を形成し、該排気口の近傍に脱臭フィルターを設け、また、前記小物収納室内には、前記まな板を排気口に向かって傾斜状態に保持するまな板載置部を形成し、前記小物収納室は、前記まな板が前記まな板載置部上に載置された状態において、前記まな板の上面側に形成される空間が前記排気口側に向かって広くなるように形成され、前記小物収納室に供給される温風は前記食器乾燥室に流入することなく前記脱臭フィルターを介して排気されるものである。
【００１２】
【発明の実施の形態】
実施の形態１．
図１はこの発明の実施の形態１である食器乾燥機を示す断面図である。図において、１〜１４、１６は上記従来の技術と同一であり、その説明は省略する。１７は第２の温風供給口１３からの距離が最長距離となる位置の小物収納室１１の側壁面に設けられる小物収納室１１の排気口、１８はハニカム形状で空気が通過する構造になっている脱臭フィルター、１９は脱臭フィルター１８を保持するホルダーで、前記排気口１７に設けられ、小物収納室１１の内側と外側にそれぞれ臨むように通気穴１９ａ、１９ｂを形成し、通気穴１９ａと１９ｂとで脱臭フィルター１８が挟まれるようにホルダー１９に保持し、第２の温風供給口１３から供給される温風がホルダー１９に保持される脱臭フィルター１８に向って流れて通過する。
【００１３】
このように構成された食器乾燥機における小物収納室１１内の乾燥動作について説明する。なお、食器乾燥室８内の食器類１４の乾燥は上記従来の技術と同様である。まな板１６を乾燥する場合、洗浄されたまな板１６が小物収納室１１内に収納され、上記従来の技術と同様に、温風発生手段４から送風される温風が、第２の温風供給口１３から小物収納室１１内に送風される。まな板１６は、上述したように、包丁など先端が鋭利な刃物で食品を切り刻んだりする目的で使用されるため、食品の汚れ、特に魚や肉や野菜などを切り刻んだときに出る汁がまな板１６にしみ込んで洗浄しても落ちずに残ったままになり、食品の汚れや臭いが付着したまま小物収納室１１内に収納される。このような状態のまな板１６に洗浄時の水滴が表面に付着されて小物収納室１１に収納されるため、温風により付着している水滴が温められると、食品の汁が水滴にふやかされ臭いの元となって表面に分布してくる。さらに、連続して温風が送風されるので、まな板１６に付着していた水滴は蒸発してまな板１６の表面が乾き、食品の臭いの元である食品の汁も乾くとともにその臭い成分は送風により通気穴１９ａに導かれ、脱臭フィルター１８を貫通して通過して臭い成分を取り除き、臭いのない空気を通気穴１９ｂから外部に排気する。
【００１４】
このようにして、小物収納室１１に臭いのしみ込んでいるまな板１６などを収納しても、小物収納室１１内の臭いを取り除き、外部への排気は臭いがない乾燥を行える食器乾燥機を得ることができる。
【００１５】
実施の形態２．
図２は、この発明の実施の形態２である食器乾燥機を示す断面図である。図において、１〜１４、１６は上記実施の形態１と同一であり、その説明は省略する。２０はハニカム形状で空気が通過する構造になっている脱臭フィルター、２１は脱臭フィルター２０を保持するホルダーで、小物収納室１１の内側と外側にそれぞれ臨むように通気穴２１ａ、２１ｂを形成し、通気穴２１ａと通気穴２１ｂとで脱臭フィルター２０を挟むように保持し、小物収納室１１の側壁面上方に形成される。１０ｄは小物収納トレイ１０の底部に突起状に設けられた凸部で、凸部１０ａよりも突起の高さが高く形成され、まな板１６を載置した時に、脱臭フィルター２０側が高く、脱臭フィルター２０に向かって傾斜するように保持され、ホルダー２１の通気穴２１ａが、傾斜したまな板１６の高い側（脱臭フィルター２０側）の端部の上面に一致または上方に開口する構成となる。また、小物収納室１１内部は、まな板１６の上側の空間が、凸部１０ａ側よりも凸部１０ｄ側の方が高さが高くなるように形成される。
【００１６】
このように構成された食器乾燥機における小物収納室１１内の乾燥動作について説明する。なお、食器乾燥室８内の食器類１４の乾燥は上記従来の技術と同様である。まな板１６を乾燥する場合、洗浄されたまな板１６が小物収納室１１内に収納され、上記従来の技術と同様に、温風発生手段４から送風される温風が、第２の温風供給口１３から小物収納室１１内に送風される。まな板１６は、上述したように、包丁など先端が鋭利な刃物で食品を切り刻んだりする目的で使用されるため、食品の汚れ、特に魚や肉や野菜などを切り刻んだときに出る汁がまな板１６にしみ込んで洗浄しても落ちずに残ったままになり、食品の汚れや臭いが付着したまま小物収納室１１内に収納される。このような状態のまな板１６に洗浄時の水滴が表面に付着されて小物収納室１１に収納されるため、温風により付着している水滴が温められると、食品の汁が水滴にふやかされ臭いの元となって表面に分布してくる。さらに、連続して温風が送風されるので、まな板１６に付着していた水滴は蒸発してまな板１６の表面が乾き、食品の臭いの元である食品の汁も乾く。このとき、まな板１６は脱臭フィルター２０側が高くなって傾斜して小物収納室１１内に収納され、さらに通気穴２１ａに向かって傾いているまな板１６の上面側の小物収納室１１内の空間が広くなっていることから、第２の温風供給口１３から送風される温風は、送風圧損が少なく、まな板１６から発生した臭い成分をスムーズに脱臭フィルター２０に導くことができる。
【００１７】
このようにして、小物収納室１１に食品の臭いのしみ込んでいるまな板１６などを収納しても、小物収納室１１内を温風が流れやすくなっているため、まな板１６から発生した臭いがスムーズに脱臭フィルター２０に向かわせることができるので、脱臭効率が向上するだけでなく、送風機３に加わる負荷を減らすことができ、送風機３の寿命を長くすることができる。
【００１８】
実施の形態３．
図３は、この発明の実施の形態３である食器乾燥機を示す断面図である。図において、１〜１４、１６、１８は上記実施の形態１と同一であり、その説明は省略する。２２は内部に脱臭フィルター１８を収納した着脱カートリッチで、脱臭フィルター１８を挟むように通気穴２２ａ、２２ｂが形成されている。２３は小物収納室１１の側壁面上方に形成される排気口、２４ａ、２４ｂは着脱カートリッチ２２を小物収納室１１の排気口２３に着脱自在に装着するために小物収納トレイ１０に形成された爪部である。
【００１９】
このように構成された食器乾燥機における小物収納室１１内の乾燥動作について説明する。なお、食器乾燥室８内の食器類１４の乾燥は上記従来の技術と同様である。まな板１６を乾燥する場合、まず、着脱カートリッチ２２に脱臭フィルター１８を収納して、小物収納トレイ１０の爪部２４ａ、２４ｂに取り付ける。そして、洗浄されたまな板１６が小物収納室１１内に収納され、上記従来の技術と同様に、温風発生手段４から送風される温風が、第２の温風供給口１３から小物収納室１１内に送風される。まな板１６は、上述したように、包丁など先端が鋭利な刃物で食品を切り刻んだりする目的で使用されるため、魚や肉や野菜などを切り刻んだときに出る汁がまな板１６にしみ込んで洗浄しても落ちずに残ったままになり、食品の汚れや臭いが付着したまま小物収納室１１内に収納される。このような状態のまな板１６に洗浄時の水滴が表面に付着されて小物収納室１１に収納されるため、温風により付着している水滴が温められると、食品の汁が水滴にふやかされ臭いの元となって表面に分布してくる。さらに、連続して温風が送風されるので、まな板１６に付着していた水滴は蒸発してまな板１６の表面が乾き、食品の臭いの元である食品の汁も乾く。食品の臭いの元である食品の汁は乾くとともにその臭い成分が送風により通気穴２２ａに導かれ、脱臭フィルター１８を貫通して通過して臭い成分を取り除き、臭いのない空気を通気穴２２ｂから外部に排気する。
【００２０】
そして、このような乾燥動作を繰り返していくと、脱臭フィルター１８に目詰まりが生じてくる。その場合、着脱カートリッチ２２を小物収納トレー１０の爪部２４ａ、２４ｂから取り外し、脱臭フィルター１８の清掃を行って再生し、脱臭フィルター１８を繰り返し使用することができる。
【００２１】
このようにして、小物収納室１１に臭いのしみ込んでいるまな板１６などを収納しても、臭いを外部に排気する前に臭いを取り除き、臭いのない排気で乾燥を行なうことができ、小物収納室１１に搭載した脱臭機能が飽和しても、着脱自在の着脱カートリッチ２２に脱臭機能を搭載して構成したので、小物収納室１１にまな板１６が収納されても、着脱カートリッチ２２を取り外すことにより、容易に清掃が行なえ、常に安定した脱臭性能を得ることができる。
【００２２】
なお、上記実施の形態１または２の脱臭フィルター１８（あるいは排気口１７、２３）または脱臭フィルター２０と第２の供給口１３との位置関係は、風路距離が最大に確保でき、脱臭フィルター１８（あるいは排気口１７，２３）または脱臭フィルター２０がまな板１６の風下になるので臭い成分が効率良く送風されることから小物収納室１１の長手方向で互いに対向するように配設するのが良い。
【００２３】
実施の形態４．
上記実施の形態１〜３では、ハニカム形状をした送風が通過する脱臭フィルターを使用しているが、脱臭塗料を塗布したプレートを設けても同様な効果が得られる。図４は、この発明の実施の形態４である食器乾燥機を示す断面図である。図において、１〜１４、１６は上記実施の形態１と同一であり、その説明は省略する。２５は表面に脱臭または消臭の効果のある塗料を塗装した片面塗装プレートで、小物収納室１１の上面壁に設けられ、脱臭または消臭の効果のある塗料を塗装した面はまな板１６を臨ませて設ける。
【００２４】
このように構成された食器乾燥機における小物収納室１１内の乾燥動作について説明する。なお、食器乾燥室８内の食器類１４の乾燥は上記従来の技術と同様である。まな板１６を乾燥する場合、洗浄されたまな板１６が小物収納室１１内に収納され、上記従来の技術と同様に、温風発生手段４から送風される温風が、第２の温風供給口１３から小物収納室１１内に送風される。まな板１６は、上述したように、包丁など先端が鋭利な刃物で食品を切り刻んだりする目的で使用されるため、魚や肉や野菜などを切り刻んだときに出る汁がまな板１６にしみ込んで洗浄しても落ちずに残ったままになり、食品の汚れや臭いが付着したまま小物収納室１１内に収納される。このような状態のまな板１６に洗浄時の水滴が表面に付着されて小物収納室１１に収納されるため、温風により付着している水滴が温められると、食品の汁が水滴にふやかされ臭いの元となって表面に分布してくる。さらに、連続して温風が送風されるので、まな板１６に付着していた水滴は蒸発してまな板１６の表面が乾き、食品の臭いの元である食品の汁も乾く。食品の臭いの元である食品の汁は乾くとともにその臭い成分が発生する。そして、まな板１６から発生した臭い成分は、脱臭または消臭効果のある塗料を塗装した面をまな板１６に臨むように面して配設した片面塗装プレート２５により吸着され、小物収納室１１の中で臭い成分が取り除かれる。
【００２５】
このようにして、小物収納室１１に臭いのしみ込んでいるまな板１６などを収納しても、小物収納室１１内で臭いを取り除くことができ、まな板１６などを小物収納トレイ１０から取り出す際に臭いによる不快感を与えることがない。
【００２６】
実施の形態５．
図５は、この発明の実施の形態５である食器乾燥機を示す断面図である。図において、１〜１４、１６は上記実施の形態１と同一であり、その発明は省略する。２６は脱臭または消臭効果のある塗料を両面に塗装した両面塗装プレートで、片面から反対面に貫通する貫通穴２６ａを穿設して形成し、両面塗装プレート２６の上面側に貫通穴２６ａにより小物収納室１１と連通する空間２６ｂを形成するように小物収納室１１の上面壁に取り付けられる。
【００２７】
このように構成された食器乾燥機における小物収納室１１内の乾燥動作について説明する。なお、食器乾燥室８内の食器類１４の乾燥は上記従来の技術と同様である。まな板１６を乾燥する場合、洗浄されたまな板１６が小物収納室１１内に収納され、上記従来の技術と同様に、温風発生手段４から送風される温風が、第２の温風供給口１３から小物収納室１１内に送風される。まな板１６は、上述したように、包丁など先端が鋭利な刃物で食品を切り刻んだりする目的で使用されるため、魚や肉や野菜などを切り刻んだときに出る汁がまな板１６にしみ込んで洗浄しても落ちずに残ったままになり、食品の汚れや臭いが付着したまま小物収納室１１内に収納される。このような状態のまな板１６に洗浄時の水滴が表面に付着されて小物収納室１１に収納されるため、温風により付着している水滴が温められると、食品の汁が水滴にふやかされ臭いの元となって表面に分布してくる。さらに、連続して温風が送風されるので、まな板１６に付着していた水滴は蒸発してまな板１６の表面が乾き、食品の臭いの元である食品の汁も乾く。食品の臭いの元である食品の汁は乾くとともにその臭い成分が発生する。第２の温風供給口１３から送風される温風により、まな板１６から発生した臭い成分は、脱臭または消臭効果のある塗料を両面に塗装した両面塗装プレート２６の下面側で吸着されるとともに、両面塗装プレート２６に穿設された貫通穴２６ａを臭い成分が通過して、空間２６ｂに対流し、両面塗装プレート２６の上面側でも臭い成分の吸着が行なわれ、小物収納室１１の中で臭い成分が効率良く取り除かれる。
【００２８】
このようにして、小物収納室１１に臭いのしみ込んでいるまな板１６などを収納しても、両面塗装プレート２６が脱臭または消臭効果のある塗料を両面に塗装されて、貫通穴２６ａが穿設されているので、プレート面積が上記実施の形態４の片面塗装プレート２５と同一でも２倍の塗布面積を得ることができるため、臭い成分を吸着する面積が増え、脱臭または消臭効果が増加し、まな板１６を小物収納トレイ１０から取り出す際に、臭いによる不快感を与えることがない。
【００２９】
実施の形態６．
図６は、この発明の実施の形態６である食器乾燥機を示す断面図である。図において、１〜１４、１６は上記実施の形態１と同一であり、その説明は省略する。２７は脱臭または消臭効果のある塗料を塗装したトレイで、底面にまな板１６を載置するための凸部２７ａ、２７ｂを形成する。
【００３０】
このように構成された食器乾燥機における小物収納室１１内の乾燥動作について説明する。なお、食器乾燥室８内の食器類１４の乾燥は上記従来の技術と同様である。まな板１６を乾燥する場合、洗浄されたまな板１６が小物収納室１１内に収納され、上記従来の技術と同様に、温風発生手段４から送風される温風が、第２の温風供給口１３から小物収納室１１内に送風される。まな板１６は、上述したように、包丁など先端が鋭利な刃物で食品を切り刻んだりする目的で使用されるため、魚や肉や野菜などを切り刻んだときに出る汁がまな板１６にしみ込んで洗浄しても落ちずに残ったままになり、食品の汚れや臭いが付着したまま小物収納室１１内に収納される。このような状態のまな板１６に洗浄時の水滴が表面に付着されて小物収納室１１に収納されるため、温風により付着している水滴が温められると、食品の汁が水滴にふやかされ臭いの元となって表面に分布してくる。さらに、連続して温風が送風されるので、まな板１６に付着していた水滴は蒸発してまな板１６の表面が乾き、食品の臭いの元である食品の汁も乾く。食品の臭いの元である食品の汁は乾くとともにその臭い成分が発生する。まな板１６から発生した臭い成分は、第２の温風供給口１３から送風される温風により小物収納室１１内を対流しているため、まな板１６の下方に設けられている脱臭または消臭効果のある塗料を塗装したトレイ２７によって吸着され、小物収納室１１の中で臭い成分が取り除かれる。
【００３１】
このようにして、小物収納室１１に臭いのしみ込んでいるまな板１６などの小物を収納しても、まな板１６の下方に配置されるトレイ２７に脱臭または消臭効果のある塗料が塗装してあるので、温風が対流して臭い成分を吸着して取り除くことができ、まな板１６などの小物を小物収納トレイ１０から取り出す際に臭いによる不快感を与えることがない。
【００３２】
実施の形態７．
図７と図８は、この発明の実施の形態７である食器乾燥機を示す断面図と図７のＡ−Ａ断面図である。図において、１〜１４、１６は上記実施の形態１と同一であり、その説明は省略する。２８は脱臭または消臭効果のある塗料が塗装されている波型プレートで、断面が図８に示すような波型形状をしており、波型形状の向きは第２の温風供給口１３から送風される温風の方向と一致するように設けられている。
【００３３】
このように構成された食器乾燥機における小物収納室１１内の乾燥動作について説明する。なお、食器乾燥室８内の食器類１４の乾燥は上記従来の技術と同様である。まな板１６を乾燥する場合、洗浄されたまな板１６が小物収納室１１内に収納され、上記従来の技術と同様に、温風発生手段４から送風される温風が、第２の温風供給口１３から小物収納室１１内に送風される。まな板１６は、上述したように、包丁など先端が鋭利な刃物で食品を切り刻んだりする目的で使用されるため、魚や肉や野菜などを切り刻んだときに出る汁がまな板１６にしみ込んで洗浄しても落ちずに残ったままになり、食品の汚れや臭いが付着したまま小物収納室１１内に収納される。このような状態のまな板１６に洗浄時の水滴が表面に付着されて小物収納室１１に収納されるため、温風により付着している水滴が温められると、食品の汁が水滴にふやかされ臭いの元となって表面に分布してくる。さらに、連続して温風が送風されるので、まな板１６に付着していた水滴は蒸発してまな板１６の表面が乾き、食品の臭いの元である食品の汁も乾く。食品の臭いの元である食品の汁は乾くとともにその臭い成分が発生する。第２の温風供給口１３から送風される温風により、まな板１６から発生した臭い成分は、脱臭または消臭効果のある塗料が塗られた波型プレート２８により吸着される。このとき、第２の温風供給口１３から送風される温風は、波型プレート２８の波型形状の向きが図８に示すように温風の流れと同じ方向に波型が配置されているため、波型プレート２８で温風の風路を妨げられることなく、小物収納室１１内を対流するので、効率良く波型プレート２８により臭いの成分を吸着する。また、波型プレート２８は波型形状により脱臭または消臭効果のある塗料の塗装面積を増加させることができ、さらに効率良く臭い成分を吸着できる。
【００３４】
このようにして、小物収納室１１に臭いのしみ込んでいるまな板１６などの小物を収納しても、波型プレート２８に脱臭または消臭効果のある塗料が塗装してあり、温風の向きと一致する向きに波型プレート２８の波型形状を配置することで、温風の対流がスムーズに流れ、さらに脱臭または消臭効果のある塗料の塗装面積も増加するので、臭いの吸着効果を高めることができ、まな板１６などの小物を小物トレイ１０から取り出す際に臭いによる不快感を与えることがない。
【００３５】
また、図示していないが、上記実施の形態７の波型プレート２８に貫通穴を穿設したり、上記実施の形態６のトレイ２７を波型形状としたり貫通穴を穿設しても同様の効果を得ることができる。
【００３６】
【発明の効果】
この発明は、以上説明したように構成されているので、以下に示すような効果を奏する。
【００３７】
温風発生装置を有する乾燥機本体と、前記乾燥機本体に配設される蓋体と、前記乾燥機本体と蓋体とによって形成される食器乾燥室と、前記乾燥機本体に形成されまな板などの小物を収納する小物収納室と、前記温風発生装置からの温風を食器乾燥室に供給する第１の温風供給口と、前記温風発生装置からの温風を小物収納室に供給する第２の温風供給口とを備え、前記小物収納室内には、前記小物収納室内に収納されて前記第２の温風供給口からの温風により乾燥されるまな板などの小物の収納位置より風下に対応する位置であって前記小物収納室の上部に排気口を形成し、該排気口の近傍に脱臭フィルターを設け、また、前記小物収納室内には、前記まな板を排気口に向かって傾斜状態に保持するまな板載置部を形成し、前記小物収納室は、前記まな板が前記まな板載置部上に載置された状態において、前記まな板の上面側に形成される空間が前記排気口側に向かって広くなるように形成され、前記小物収納室に供給される温風は前記食器乾燥室に流入することなく前記脱臭フィルターを介して排気されるので、臭いのしみ込んでいるまな板などを収納しても小物収納室内の臭いを取り除き、小物収納室からまな板などを取り出す際に不快感を与えることのない食器乾燥機を得ることができる。
また、臭いのしみ込んでいるまな板などを収納してもまな板などにしみ込んでいる食品の臭いをスムーズに脱臭フィルターに向かわせることができ効率良く臭いを取り除くことのできる食器乾燥機を得ることができる。
【図面の簡単な説明】
【図１】  この発明の実施の形態１である食器乾燥機を示す断面図である。
【図２】  この発明の実施の形態２である食器乾燥機を示す断面図である。
【図３】  この発明の実施の形態３である食器乾燥機を示す断面図である。
【図４】  この発明の実施の形態４である食器乾燥機を示す断面図である。
【図５】  この発明の実施の形態５である食器乾燥機を示す断面図である。
【図６】  この発明の実施の形態６である食器乾燥機を示す断面図である。
【図７】  この発明の実施の形態７である食器乾燥機を示す断面図である。
【図８】  この発明の実施の形態８である食器乾燥機を示す図７のＡ−Ａ断面図である。
【図９】  従来の食器乾燥機を示す正面図である。
【図１０】  従来の食器乾燥機を示す断面図である。
【符号の説明】
１  本体、２  ヒータ、３  送風機、４  温風発生装置、５  温風発生手段収納室、６  蓋体、７  蓋片、８  食器乾燥室、９  食器カゴ、１０  小物収納トレイ、１１  小物収納室、１２  第１の温風供給口、１３  第２の温風供給口、１４  食器類、１６  まな板、１７  排気口、１８  脱臭フィルター、１９  ホルダー、１９ａ、１９ｂ  通気穴。
【図１】
0004074952.tif 000002
【図２】
0004074952.tif 000003
【図３】
0004074952.tif 000004
【図４】
0004074952.tif 000005
【図５】
0004074952.tif 000006
【図６】
0004074952.tif 000007
【図７】
0004074952.tif 000008
【図８】
0004074952.tif 000009
【図９】
0004074952.tif 000010
【図１０】
0004074952.tif 000011